(57)【特許請求の範囲】
【請求項１】
認証情報を含み、所定の情報を受け付けるための第１コンテンツを第１端末装置に配信する第１配信部と、
前記第１端末装置に表示された認証情報を読み込んだ第２端末装置に対して、当該第２端末装置から前記所定の情報の入力を受け付ける第２コンテンツを配信する第２配信部と
を有し、
前記第１コンテンツは、特定のサービスへの申し込みの際にユーザの入力情報を必要とする申込フォームであり、
前記第２コンテンツは、前記第１コンテンツへの入力を補助するためのコンテンツである
ことを特徴とする情報処理装置。
【請求項２】
認証情報を含み、所定の情報を受け付けるための第１コンテンツを第１端末装置に配信する第１配信部と、
前記第１端末装置に表示された認証情報を読み込んだ第２端末装置に対して、当該第２端末装置から前記所定の情報の入力を受け付ける第２コンテンツを配信する第２配信部と
を有し、
前記第１配信部は、
前記第２コンテンツが配信されると、前記第１コンテンツを介した情報入力を停止させる制御情報を配信する
ことを特徴とする情報処理装置。
【請求項３】
前記第１配信部は、
前記第２コンテンツに入力された入力情報を含む前記第１コンテンツを配信する
ことを特徴とする請求項１又は２に記載の情報処理装置。
【請求項４】
前記第２配信部は、
所定の入力デバイスを有する前記第２端末装置に対して、当該所定の入力デバイスを介して入力される前記所定の情報を受け付ける前記第２コンテンツを配信する
ことを特徴とする請求項１から３のうちいずれか１つに記載の情報処理装置。
【請求項５】
前記第２配信部は、
撮像装置を有する前記第２端末装置に対して、静止画像又は動画像を受け付ける前記第２コンテンツを配信する
ことを特徴とする請求項４に記載の情報処理装置。
【請求項６】
前記第２配信部は、
前記第１コンテンツに入力された入力情報を引き継いで表示する前記第２コンテンツを配信する
ことを特徴とする請求項１から５のうちいずれか１つに記載の情報処理装置。
【請求項７】
前記第２配信部は、
前記第１コンテンツに入力された入力情報以外の、ユーザからの入力を要求する入力部分を表示する前記第２コンテンツを配信する
ことを特徴とする請求項１から５のうちいずれか１つに記載の情報処理装置。
【請求項８】
前記第２配信部は、
前記ユーザの個人情報の入力を要求する前記入力部分を表示する前記第２コンテンツを配信する
ことを特徴とする請求項７に記載の情報処理装置。
【請求項９】
前記第２端末装置が前記認証情報を読み込んだ際に、当該認証情報の認証に係る所定の条件を満たすか否かを判定する判定部を更に有し、
前記第２配信部は、
前記判定部によって、前記第２端末装置が前記所定の条件を満たすと判定された場合、前記第２コンテンツを配信する
ことを特徴とする請求項１から８のうちいずれか１つに記載の情報処理装置。
【請求項１０】
前記判定部は、
前記第２端末装置が前記認証情報を読み込んだ際に当該第２端末装置に配信された認証コンテンツへの入力に基づいて、前記所定の条件を満たすか否かを判定する
ことを特徴とする請求項９に記載の情報処理装置。
【請求項１１】
前記判定部は、
前記認証コンテンツに入力された入力情報と、前記第１コンテンツの所定の領域に表示された表示情報との比較に基づいて、前記所定の条件を満たすか否かを判定する
ことを特徴とする請求項１０に記載の情報処理装置。
【請求項１２】
前記第１配信部は、
前記第１コンテンツが配信された第１時間情報を含む前記認証情報を含む前記第１コンテンツを配信し、
前記判定部は、
前記第２端末装置が前記認証情報を読み込んだ際の第２時間情報と、前記第１時間情報とに基づいて、前記所定の条件を満たすか否かを判定する
ことを特徴とする請求項９に記載の情報処理装置。
【請求項１３】
前記第１配信部は、
前記第１コンテンツが配信された際の前記第１端末装置の第１位置情報を含む前記認証情報を含む前記第１コンテンツを配信し、
前記判定部は、
前記第２端末装置が前記認証情報を読み込んだ際の当該第２端末装置の第２位置情報と、前記第１位置情報とに基づいて、前記所定の条件を満たすか否かを判定する
ことを特徴とする請求項９に記載の情報処理装置。
【請求項１４】
コンピュータが実行する情報処理方法であって、
認証情報を含み、所定の情報を受け付けるための第１コンテンツを第１端末装置に配信する第１配信工程と、
前記第１端末装置に表示された認証情報を読み込んだ第２端末装置に対して、当該第２端末装置から前記所定の情報の入力を受け付ける第２コンテンツを配信する第２配信工程と
を含み、
前記第１コンテンツは、特定のサービスへの申し込みの際にユーザの入力情報を必要とする申込フォームであり、
前記第２コンテンツは、前記第１コンテンツへの入力を補助するためのコンテンツである
ことを特徴とする情報処理方法。
【請求項１５】
認証情報を含み、所定の情報を受け付けるための第１コンテンツを第１端末装置に配信する第１配信手順と、
前記第１端末装置に表示された認証情報を読み込んだ第２端末装置に対して、当該第２端末装置から前記所定の情報の入力を受け付ける第２コンテンツを配信する第２配信手順と
をコンピュータに実行させ、
前記第１コンテンツは、特定のサービスへの申し込みの際にユーザの入力情報を必要とする申込フォームであり、
前記第２コンテンツは、前記第１コンテンツへの入力を補助するためのコンテンツである
ことを特徴とする情報処理プログラム。
【請求項１６】
コンピュータが実行する情報処理方法であって、
認証情報を含み、所定の情報を受け付けるための第１コンテンツを第１端末装置に配信する第１配信工程と、
前記第１端末装置に表示された認証情報を読み込んだ第２端末装置に対して、当該第２端末装置から前記所定の情報の入力を受け付ける第２コンテンツを配信する第２配信工程と
を含み、
前記第１配信工程は、
前記第２コンテンツが配信されると、前記第１コンテンツを介した情報入力を停止させる制御情報を配信する
ことを特徴とする情報処理方法。
【請求項１７】
認証情報を含み、所定の情報を受け付けるための第１コンテンツを第１端末装置に配信する第１配信手順と、
前記第１端末装置に表示された認証情報を読み込んだ第２端末装置に対して、当該第２端末装置から前記所定の情報の入力を受け付ける第２コンテンツを配信する第２配信手順と
をコンピュータに実行させ、
前記第１配信手順は、
前記第２コンテンツが配信されると、前記第１コンテンツを介した情報入力を停止させる制御情報を配信する
ことを特徴とする情報処理プログラム。
【発明の詳細な説明】
【技術分野】
【０００１】
本発明は、情報処理装置、情報処理方法及び情報処理プログラムに関する。
【背景技術】
【０００２】
従来、スマートフォン等の端末装置において、利用者（ユーザ）に入力情報（例えば、文字情報）の入力を促すコンテンツを配信する技術が知られている。このような技術の一例として、所定の情報を記録して発行された情報コードを端末装置で読み取ることで、かかる情報コードに記録された情報によって指定されたコンテンツを配信する技術が提案されている。
【先行技術文献】
【特許文献】
【０００３】
【特許文献１】特許第６５５６２７２号公報
【発明の概要】
【発明が解決しようとする課題】
【０００４】
しかしながら、従来の技術では、更なるユーザビリティの向上を促進する余地があった。
【０００５】
例えば、従来の技術では、スマートフォン等の端末装置において、入力情報の入力が容易でない場合があるため、更なるユーザビリティの向上を促進する余地があった。
【０００６】
本願は、上記に鑑みてなされたものであって、更なるユーザビリティの向上を促進することができる情報処理装置、情報処理方法及び情報処理プログラムを提供することを目的とする。
【課題を解決するための手段】
【０００７】
本願に係る情報処理装置は、認証情報を含み、所定の情報を受け付けるための第１コンテンツを第１端末装置に配信する第１配信部と、前記第１端末装置に表示された認証情報を読み込んだ第２端末装置に対して、当該第２端末装置から前記所定の情報の入力を受け付ける第２コンテンツを配信する第２配信部とを有することを特徴とする。
【発明の効果】
【０００８】
実施形態の一態様によれば、更なるユーザビリティの向上を促進することができるという効果を奏する。
【図面の簡単な説明】
【０００９】
【図１】図１は、実施形態に係る情報処理の一例を示す図である。
【図２】図２は、実施形態に係る情報処理システムの構成例を示す図である。
【図３】図３は、実施形態に係る第１コンテンツの一例を示す図である。
【図４】図４は、実施形態に係る第２コンテンツの一例を示す図である。
【図５】図５は、実施形態に係る情報処理サーバの構成例を示す図である。
【図６】図６は、実施形態に係るコンテンツ情報記憶部の一例を示す図である。
【図７】図７は、実施形態に係る入力情報記憶部の一例を示す図である。
【図８】図８は、実施形態に係る第１端末装置の構成例を示す図である。
【図９】図９は、実施形態に係る第２端末装置の構成例を示す図である。
【図１０】図１０は、実施形態に係る情報処理の手順の一例を示すフローチャートである。
【図１１】図１１は、実施形態に係る認証コンテンツの一例を示す図である。
【図１２】図１２は、実施形態に係る認証コンテンツの一例を示す図である。
【図１３】図１３は、情報処理サーバの機能を実現するコンピュータの一例を示すハードウェア構成図である。
【発明を実施するための形態】
【００１０】
以下に本願に係る情報処理装置、情報処理方法及び情報処理プログラムを実施するための形態（以下、「実施形態」と呼ぶ）について図面を参照しつつ詳細に説明する。なお、この実施形態により本願に係る付与装置、付与方法及び付与プログラムが限定されるものではない。また、以下の各実施形態において同一の部位には同一の符号を付し、重複する説明は省略される。
【００１１】
〔１．実施形態〕
図１を用いて、本実施形態の情報処理装置等により実現される情報処理について説明する。図１は、実施形態に係る情報処理の一例を示す図である。なお、図１では、本実施形態に係る情報処理装置の一例である情報処理サーバ１０によって、実施形態に係る情報処理などが実現されるものとする。
【００１２】
〔１−１．情報処理システムの構成〕
図１の説明に先立って、図２を用いて情報処理システム１の構成について説明する。図２は、実施形態に係る情報処理システムの構成例を示す図である。図２に示すように、実施形態に係る情報処理システム１は、情報処理サーバ１０と、第１端末装置１００と、第２端末装置２００とを含む。情報処理サーバ１０、第１端末装置１００及び第２端末装置２００は、ネットワークＮを介して有線又は無線により相互に通信可能に接続される。ネットワークＮは、例えば、インターネットなどのＷＡＮ（Wide  Area  Network）である。なお、図２に示した情報処理システム１には、複数台の情報処理サーバ１０、複数台の第１端末装置１００及び複数台の第２端末装置２００が含まれていてもよい。
【００１３】
図２に示す情報処理サーバ１０は、実施形態に係る情報処理を実行する情報処理装置であり、サーバ装置やクラウドシステム等により実現される。例えば、情報処理サーバ１０は、第１端末装置１００の配信要求を受信すると、認証情報の一例であるＱＲコード（登録商標）等の情報コードを含むコンテンツ（以下、適宜、「第１コンテンツ」とする。）を提供する。なお、第１コンテンツとは、例えば、特定のサービスへの申し込みの際にユーザの入力情報を必要とする申込フォーム等の、コンテンツである。
【００１４】
また、情報処理サーバ１０は、第２端末装置２００の配信要求を受信すると、第１コンテンツで受け付けられる所定の情報の入力を受け付けるコンテンツ（以下、適宜、「第２コンテンツ」とする。）を提供する。なお、第２コンテンツとは、例えば、第２端末装置２００におけるユーザの入力に基づいて第１コンテンツを更新するためのコンテンツである。例えば、第２コンテンツに入力された情報が第１コンテンツに反映される。第１コンテンツ及び第２コンテンツの詳細は後述する。
【００１５】
図２に示す第１端末装置１００は、ユーザによって利用される情報処理装置である。具体的には、第１端末装置１００は、ＱＲコード（登録商標）等の情報コードを表示する側の情報処理装置である。第１端末装置１００は、例えば、スマートフォンや、タブレット型端末、ノート型ＰＣ（Personal  Computer）、デスクトップＰＣ、携帯電話機、ＰＤＡ（Personal  Digital  Assistant）等により実現される。また、第１端末装置１００は、情報処理サーバ１０によって配信される情報を、ウェブブラウザやアプリケーションにより表示する。なお、図１に示す例では、第１端末装置１００がデスクトップＰＣである場合を示す。
【００１６】
なお、第１端末装置１００は、所定の情報処理を実現する制御情報を情報処理サーバ１０から受け取った場合には、制御情報に従って情報処理を実現する。ここで、制御情報は、例えば、ＪａｖａＳｃｒｉｐｔ（登録商標）等のスクリプト言語やＣＳＳ（Cascading  Style  Sheets）等のスタイルシート言語により記述される。なお、情報処理サーバ１０から配信される所定のアプリケーションそのものを制御情報とみなしてもよい。
【００１７】
図２に示す第２端末装置２００は、ユーザによって利用される情報処理装置である。具体的には、第２端末装置２００は、第１端末装置１００に表示された情報コードを読み取る側の情報処理装置である。第２端末装置２００は、例えば、スマートフォンや、タブレット型端末、ノート型ＰＣ、デスクトップＰＣ、携帯電話機、ＰＤＡ等により実現される。また、第２端末装置２００は、情報処理サーバ１０によって配信される情報を、ウェブブラウザやアプリケーションにより表示する。なお、図１に示す例では、第２端末装置２００がスマートフォンである場合を示す。
【００１８】
なお、第２端末装置２００は、所定の情報処理を実現する制御情報を情報処理サーバ１０から受け取った場合には、制御情報に従って情報処理を実現する。ここで、制御情報は、例えば、ＪａｖａＳｃｒｉｐｔ（登録商標）等のスクリプト言語やＣＳＳ等のスタイルシート言語により記述される。なお、情報処理サーバ１０から配信される所定のアプリケーションそのものを制御情報とみなしてもよい。
【００１９】
〔１−２．第２端末装置を用いた決済について〕
ここで、情報処理サーバ１０が実行する情報処理に先立ち、第２端末装置２００を用いた決済（電子決済）の一例について説明する。なお、以下の説明では、店舗Ａに配置された２次元コード（ＱＲコード（登録商標））であって、店舗Ａを識別する店舗識別情報Ｃを示す２次元コードを用いて、ユーザＵが第２端末装置２００を用いた決済を行う例について説明するが、実施形態は、これに限定されるものではない。以下に説明する決済の一例は、任意のユーザが任意の第２端末装置２００を用いて、任意の店舗にて決済を行う場合においても適用可能である。また、店舗識別情報Ｃは、ＱＲコード（登録商標）のみならず、バーコードや所定のマーク、番号等であってもよい。
【００２０】
例えば、ユーザＵが店舗Ａにて各種の商品やサービスといった決済対象（取引対象）の利用や購入に伴う決済を行う場合、ユーザＵは、第２端末装置２００に予めインストールされた決済アプリを起動する。そして、ユーザＵは、決済アプリを介して、店舗Ａに設置された店舗識別情報Ｃを撮影する。このような場合、第２端末装置２００は、決済対象の価格を入力するための画面を表示し、ユーザＵ或いは店舗Ａの店員から決済金額の入力を受け付ける。そして、第２端末装置２００は、ユーザＵを識別するユーザ識別情報と、店舗識別情報Ｃ（若しくは、店舗識別情報Ｃが示す情報、すなわち、店舗Ａを示す情報（例えば、店舗ＩＤ））と、決済金額とを示す決済情報を情報処理サーバ１０へと送信する。
【００２１】
このような場合、情報処理サーバ１０は、ユーザ識別情報が示すユーザＵの口座から、店舗識別情報Ｃが示す店舗Ａの口座へと、決済金額が示す額の電子マネーを移行させる。そして、情報処理サーバ１０は、決済が完了した旨の通知を第２端末装置２００へと送信する。このような場合、第２端末装置２００は、決済が完了した旨の画面や所定の音声を出力することで、電子マネーによる決済が行われた旨を通知する。
【００２２】
なお、第２端末装置２００を用いた決済は、上述した処理に限定されるものではない。例えば、第２端末装置２００を用いた決済は、店舗Ａに設置された店舗端末を用いたものであってもよい。例えば、第２端末装置２００は、ユーザＵを識別するためユーザ識別情報を画面上に表示させる。このような場合、店舗Ａに設置された店舗端末は、第２端末装置２００に表示されたユーザ識別情報を読み取り、ユーザ識別情報（若しくは、ユーザ識別情報が示す情報、すなわち、ユーザＵを示す情報（例えば、ユーザＩＤ））と、決済金額と、店舗Ａを識別する情報とを示す決済情報を情報処理サーバ１０へと送信する。このような場合、情報処理サーバ１０は、ユーザ識別情報が示すユーザＵの口座から、店舗Ａの口座へと、決済金額が示す額の電子マネーを移行させ、店舗Ａの店舗端末或いは第２端末装置２００に対し、決済が完了した旨の画面や所定の音声を出力させることで、決済が行われた旨を通知してもよい。
【００２３】
また、第２端末装置２００を用いた決済は、ユーザＵが予め電子マネーをチャージした口座から店舗Ａの口座へと電子マネーを移行させる処理のみならず、例えば、ユーザＵが予め登録したクレジットカードを用いた決済であってもよい。このような場合、例えば、第２端末装置２００は、店舗Ａの口座に対して決済金額の電子マネーを移行させるとともに、ユーザＵのクレジットカードの運用会社に対し、決済金額を請求してもよい。
【００２４】
〔１−３．実施形態の概要について〕
ここで、従来、所定の情報を記録して発行された情報コードを端末装置で読み取ることで、かかる情報コードに記録された情報によって指定されたコンテンツを配信する技術が提案されている。しかしながら、このような技術では、ユーザに入力情報の入力を促すコンテンツを配信しているにすぎない。したがって、更なるユーザビリティの向上を促進する余地があった。
【００２５】
そこで、情報処理サーバ１０は、実施形態に係る情報処理を実行する。以下、図１を用いて、情報処理サーバ１０が実行する情報処理について説明する。なお、以下の説明では、第２端末装置２００がユーザＵ１１により利用される例を示す。また、以下の説明では、第２端末装置２００をユーザＵ１１と同一視する場合がある。すなわち、以下では、ユーザＵ１１を第２端末装置２００と読み替えることもできる。
【００２６】
また、以下の説明において、情報処理サーバ１０は、第１コンテンツの一例として、ピックアップ申込フォーム（申込フォームＰＵ１１）を配信するものとする。なお、ピックアップ申込フォームとは、例えば、加盟店等の店舗側がピックアップされる側になるために申し込む事業者の申込フォームである。また、情報処理サーバ１０は、第２コンテンツの一例として、申込フォームＰＵ１１の入力情報を含む申込フォームＰＵ２１を配信するものとする。また、ユーザＵＩ１１は、ピックアップを所望する事業者であるものとする。また、情報コードＱＲ１１は、ＱＲコード（登録商標）であるものとする。また、書類（ファイル）を添付する申込フォームＰＵ１１を第１端末装置１００で開いたが、添付すべきファイルが第１端末装置１００にない状況を想定するものとする。
【００２７】
まず、情報処理サーバ１０は、第１端末装置１００に申込フォームＰＵ１１を配信する（ステップＳ１０１）。ここで、申込フォームＰＵ１１は、例えば、入力情報の入力を促す文字情報と、情報コードＱＲ１１とを含む。情報処理サーバ１０は、情報コードＱＲ１１を申込フォームＰＵ１１に重畳して表示させる。また、第１端末装置１００は、情報処理サーバ１０から申込フォームＰＵ１１を受信すると、出力部１３０に申込フォームＰＵ１１を表示させる。以下、図３を用いて、申込フォームＰＵ１１の詳細を説明する。
【００２８】
図３は、申込フォームＰＵ１１の一例を示す図である。申込フォームＰＵ１１は、情報コードＱＲ１１と、入力項目（ＮＮ１１乃至ＮＮ１３）とを含む。ここで、情報コードＱＲ１１は、申込フォームＰＵ１１を表示するためのＵＲＬ等の情報を圧縮した情報である。なお、ＵＲＬ以外の情報は適宜暗号化してもよい。なお、情報コードＱＲ１１は、復号可能な暗号化処理が施された他の情報を含んでもよい。例えば、時間情報や位置情報である。なお、図３では、申込フォームＰＵ１１の右上に情報コードＱＲ１１を表示する場合を示すが、この例に限られず、情報コードＱＲ１１の表示位置は特に限定されない。例えば、申込フォームＰＵ１１の左下に表示されてもよい。
【００２９】
入力項目（ＮＮ１１乃至ＮＮ１３）は、入力情報の入力の項目である。例えば、入力項目ＮＮ１１は、加盟店情報の項目を示し、テキストＴＸ１１を含む。テキストＴＸ１１は、例えば、代表者／責任者氏名や、問い合わせ電話番号、等の情報を含む。また、例えば、入力項目ＮＮ１２は、登記住所の項目を示し、テキストＴＸ１２を含む。テキストＴＸ１２は、例えば、登記住所の情報を含む。また、例えば、入力項目ＮＮ１３は、アップロードの項目を示し、テキストＴＸ１３を含む。テキストＴＸ１３は、例えば、「履歴事項全部証明書をアップロードしてください。ただし、発行から３カ月以内のもの。」である。
【００３０】
図３では、テキスト（ＴＸ１１乃至ＴＸ１３）が入力されている場合を示すが、テキスト（ＴＸ１１乃至ＴＸ１３）は申込フォームＰＵ１１の配信前に入力されたものであっても、配信後に入力されたものであってもよい。なお、入力項目（ＮＮ１１乃至ＮＮ１３）の種別、数、及び各項目に含まれる情報等は特に限定されない。なお、入力項目（ＮＮ１１乃至ＮＮ１３）に含まれる情報が、情報処理サーバ１０に保存されるタイミングは、どのようなタイミングであってもよい。例えば、入力項目（ＮＮ１１乃至ＮＮ１３）に含まれる情報が保存されるタイミングは、情報コードＱＲ１１を表示する操作によって、情報コードが表示されるタイミングであってもよい。また、ウェブソケット等を用いて、入力された情報を自動で検出して更新することで、入力項目（ＮＮ１１乃至ＮＮ１３）に含まれる情報が保存されるタイミングを調整してもよい。これにより、情報処理サーバ１０は、入力項目（ＮＮ１１乃至ＮＮ１３）に含まれる情報を、第１端末装置１００のメモリだけでなく、情報処理サーバ１０にも残すことができる。
【００３１】
入力項目ＮＮ１３は、アップロードするファイルを選択するための操作項目ＦＦ１１を含む。ユーザＵ１１は、操作項目ＦＦ１１に対する操作（例えば、タップやクリック）に基づいて、ファイルを選択する。なお、図３では、ファイルが選択されていない状態を示す。また、入力項目ＮＮ１３は、操作項目ＦＦ１１で選択されたファイルをアップロードするための操作項目ＦＦ２１を含む。ユーザＵ１１が操作項目ＦＦ２１に対して操作することで、選択されたファイルがアップロードされる。
【００３２】
ここで、操作項目ＦＦ１１において選択したいファイルが第１端末装置１００にない場合には、スマートフォンやタブレット等の撮像装置（例えば、カメラ）で撮影することが考えられる。しかしながら、撮影した写真をメール等で第１端末装置１００に送信する場合、作業／手間が発生する場合がある。このため、作業／手間によるＵＸの低下や、離脱によるコンバージョンの低下に至る場合がある。図１では、操作項目ＦＦ１１を用いずに、情報コードＱＲ１１を用いて、第１端末装置１００と第２端末装置２００との操作の切り替えを容易にすることで、第２端末装置２００でファイルの添付を行うものとする。
【００３３】
図１の説明に戻る。ユーザＵ１１は、第２端末装置２００を用いて第１端末装置１００に表示された情報コードＱＲ１１を読み込む（ステップＳ１０２）。そして、第２端末装置２００は、第１端末装置１００から読み込んだ情報コードＱＲ１１に基づいて、第２コンテンツの配信要求を情報処理サーバ１０に送信する（ステップＳ１０３）。
【００３４】
続いて、情報処理サーバ１０は、第２端末装置２００から送信された配信要求を受け付けると、受け付けた配信要求に基づいて、申込フォームＰＵ２１を第２端末装置２００に配信する（ステップＳ１０４）。この際、情報処理サーバ１０は、第２端末装置２００によって情報コードＱＲ１１が読み込まれたか否かを判定して、情報コードＱＲ１１が読み込まれたと判定した場合に、申込フォームＰＵ２１を第２端末装置２００に配信してもよい。また、第２端末装置２００は、情報処理サーバ１０から申込フォームＰＵ２１を受信すると、出力部２３０に申込フォームＰＵ２１を表示させる。これにより、ユーザＵ１１は、以降の入力を第２端末装置２００で行うことができる。以下、図４を用いて、申込フォームＰＵ２１の詳細を説明する。
【００３５】
図４は、申込フォームＰＵ２１の一例を示す図である。図４では、第２端末装置２００が出力部２３０に申込フォームＰＵ２１を表示させた場合を示す。なお、図３と同様の説明は適宜省略する。申込フォームＰＵ２１は、入力項目（ＮＮ２１乃至ＮＮ２３）を含む。なお、入力項目（ＮＮ２１乃至ＮＮ２３）は、入力項目（ＮＮ１１乃至ＮＮ１３）と同様であるため説明を省略する。また、テキスト（ＴＸ２１乃至ＴＸ２３）も、テキスト（ＴＸ１１乃至ＴＸ１３）と同様であるため説明を省略する。
【００３６】
図４では、テキスト（ＴＸ２１乃至ＴＸ２３）が入力されている場合を示すが、テキスト（ＴＸ２１乃至ＴＸ２３）は申込フォームＰＵ２１の配信前に入力されたものであっても、配信後に入力されたものであってもよい。例えば、テキスト（ＴＸ２１乃至ＴＸ２３）は、申込フォームＰＵ２１の配信前に入力されたテキスト（ＴＸ１１乃至ＴＸ１３）を引き継いだ情報であってもよい。すなわち、申込フォームＰＵ２１は、申込フォームＰＵ１１の入力情報の一部又は全部を引き継いで表示するコンテンツであってもよい。
【００３７】
申込フォームＰＵ２１は、操作項目（ＦＦ２１及びＦＦ２２）を含む。なお、操作項目（ＦＦ２１及びＦＦ２２）は、操作項目（ＦＦ１１及びＦＦ１２）と同様であるため説明を省略する。情報処理サーバ１０は、操作項目（ＦＦ２１及びＦＦ２２）を用いてアップロードされたファイルを、申込フォームＰＵ１１の入力項目ＮＮ１３に反映させる。例えば、情報処理サーバ１０は、申込フォームＰＵ２１においてファイルのアップロード後、第１端末装置１００における操作に基づいて、申込フォームＰＵ１１にも同一のファイルがアップロードされるように申込フォームＰＵ１１を更新させる。
【００３８】
情報処理サーバ１０は、申込フォームＰＵ２１においてアップロードされたファイルを申込フォームＰＵ１１において反映させるための情報を、第１端末装置１００に表示させてもよい。なお、申込フォームＰＵ１１において、申込フォームＰＵ２１においてアップロードされたファイルが反映されると、申込フォームＰＵ１１は、アップロード完了状態となる。このように、情報処理サーバ１０は、第２端末装置２００で入力された入力情報が、申込フォームＰＵ１１において反映されるための情報を、第１端末装置１００に表示させてもよい。
【００３９】
情報処理サーバ１０は、申込フォームＰＵ２１で入力された入力情報を含む申込フォームＰＵ１１を第１端末装置１００に配信する。
【００４０】
情報処理サーバ１０は、申込フォームＰＵ２１が配信されると、申込フォームＰＵ１１を介した情報入力を停止させる制御情報を、第１端末装置１００に配信してもよい。例えば、情報処理サーバ１０は、申込フォームＰＵ１１において、申込フォームＰＵ２１で入力された入力情報を反映させるための操作が行われるまで、申込フォームＰＵ１１を介した情報入力を停止させる制御情報を配信してもよい。また、第１端末装置１００は、情報処理サーバ１０から送信された制御情報を受信すると、出力部１３０に表示される画面をロックする処理を行ってもよい。
【００４１】
これにより、ユーザＵ１１は、情報コードＱＲ１１を読み取ることで、第２端末装置２００でコンテンツを開くことができるため、情報処理サーバ１０は、ユーザＵ１１が第１端末装置１００へ画像を送信するよりも比較的容易でハードルの低いユーザビリティを提供することができる。また、これにより、ユーザＵ１１は、第１端末装置１００から第２端末装置２００へ即座に操作を切り替えることができるため、情報処理サーバ１０は、入力離脱を防ぐ効果を奏する。また、これにより、ユーザＵ１１が、公共施設（例えば、漫画喫茶や街頭）や会社に設置された第１端末装置１００を用いて、コンテンツを開いて個人情報（プライベート情報）を入力する場合であっても、個人情報の保護に繋がる効果を奏する。
【００４２】
〔１−４．実施形態の処理のバリエーションについて〕
（第１コンテンツの限定）
上記実施形態では、情報処理サーバ１０が、ピックアップ申込フォームを配信する場合を示したが、この例に限られず、情報処理サーバ１０が配信するコンテンツは特に限定されない。また、上記実施形態では、ユーザＵ１１がピックアップを所望する事業者である場合を示したが、ユーザＵ１１の属性は特に限定されない。
【００４３】
（第２コンテンツの限定）
上記実施形態では、情報処理サーバ１０が、申込フォームＰＵ１１の入力情報を含む申込フォームＰＵ２１を配信する場合を示した。ここで、情報処理サーバ１０は、申込フォームＰＵ１１の入力情報の一部を含む申込フォームＰＵ２１を配信してもよい。例えば、情報処理サーバ１０は、申込フォームＰＵ１１に入力されていない未入力の項目のみを含む申込フォームＰＵ２１を配信してもよい。例えば、図３及び４の例を用いると、情報処理サーバ１０は、申込フォームＰＵ１１において入力項目ＮＮ１３が未入力であるため、入力項目ＮＮ２３のみを含む申込フォームＰＵ２１を配信してもよい。この場合、入力項目ＮＮ２３のみが第２端末装置２００に表示される。また、情報処理サーバ１０は、第２端末装置２００から送信された配信要求に基づいて、申込フォームＰＵ１１の入力情報を取得することで、申込フォームＰＵ１１に入力されていない未入力の項目を特定してもよい。
【００４４】
（情報コードの限定）
上記実施形態では、情報処理サーバ１０が、情報コードＱＲ１１を申込フォームＰＵ１１に重畳して表示させる場合を示した。ここで、情報コードＱＲ１１は、申込フォームＰＵ１１に予め内包されていてもよいし、配信時に重畳して表示されるように情報コードＱＲ１１と申込フォームＰＵ１１とが別々に記憶されていてもよい。
【００４５】
（第２端末装置の特定）
上記実施形態では、第２端末装置２００が、第１端末装置１００から読み込んだ情報コードＱＲ１１に基づいて、第２コンテンツの配信要求を情報処理サーバ１０に送信することで、情報処理サーバ１０は、第２コンテンツを配信する第２端末装置２００を特定する場合を示したが、この例に限られない。例えば、情報処理サーバ１０は、情報コードＱＲ１１を読み込んだ第２端末装置２００を検出するための情報を発信することで、第２コンテンツを配信する第２端末装置２００を特定してもよい。
【００４６】
（第１端末装置の限定）
上記実施形態では、第１端末装置１００が、ユーザＵ１１によって利用される情報処理装置である場合を示した。ここで、第１端末装置１００は、公共施設や会社等のユーザＵ１１以外が保有する情報処理装置であってもよい。例えば、第１端末装置１００は、会社等から仕事用に支給されたスマートフォンであってもよい。これにより、情報処理サーバ１０は、例えば、会社に関連する記載用のスマートフォンと、個人情報に該当する記載用のスマートフォンとで使い訳している２つの端末装置間を連携させることで、前者に個人情報を保存したくないといった要望に応えることができる。例えば、情報処理サーバ１０は、個人情報のため後者で入力したい、前者に画像を送りたくない、画像に限らず文字情報も入力したくない、といった要望に応えることができる。
【００４７】
〔２．情報処理サーバの構成〕
次に、図５を用いて、実施形態に係る情報処理サーバ１０の構成について説明する。図５は、実施形態に係る情報処理サーバ１０の構成例を示す図である。図５に示すように、情報処理サーバ１０は、通信部２０と、記憶部３０と、制御部４０とを有する。なお、情報処理サーバ１０は、情報処理サーバ１０の管理者から各種操作を受け付ける入力部（例えば、キーボードやマウス等）や、各種情報を表示するための表示部（例えば、液晶ディスプレイ等）を有してもよい。
【００４８】
（通信部２０）
通信部２０は、例えば、ＮＩＣ（Network  Interface  Card）等によって実現される。そして、通信部２０は、ネットワークＮと有線又は無線で接続され、ネットワークＮを介して、第１端末装置１００等との間で情報の送受信を行う。
【００４９】
（記憶部３０）
記憶部３０は、例えば、ＲＡＭ（Random  Access  Memory）、フラッシュメモリ等の半導体メモリ素子、又は、ハードディスク、光ディスク等の記憶装置によって実現される。図５に示すように、記憶部３０は、コンテンツ情報記憶部３１と、入力情報記憶部３２とを有する。
【００５０】
コンテンツ情報記憶部３１は、第１端末装置１００において第１コンテンツを表示するための、第１コンテンツに含まれる各種の情報を記憶する。ここで、図６を用いて、コンテンツ情報記憶部３１が記憶する情報の一例を説明する。図６は、実施形態に係るコンテンツ情報記憶部３１の一例を示す図である。図６の例において、コンテンツ情報記憶部３１は、「コンテンツＩＤ」、「コンテンツ情報」といった項目を有する。
【００５１】
「コンテンツＩＤ」は、第１コンテンツを識別するための識別情報を示す。「コンテンツ情報」は、第１コンテンツに含まれるコンテンツ情報を示し、例えば、第１コンテンツに含まれる入力項目に関する情報が格納される。図６に示す例では、「コンテンツ情報」に「コンテンツ＃１１」や「コンテンツ＃１２」といった概念的な情報が格納される例を示したが、実際には、入力項目の文字情報等が格納される。
【００５２】
入力情報記憶部３２は、第１コンテンツに入力された入力情報に関する各種の情報を記憶する。ここで、図７を用いて、入力情報記憶部３２が記憶する情報の一例を説明する。図７は、実施形態に係る入力情報記憶部３２の一例を示す図である。図７の例において、入力情報記憶部３２は、「入力情報ＩＤ」、「ユーザＩＤ」、「入力情報」といった項目を有する。
【００５３】
「入力情報ＩＤ」は、入力情報を識別するための識別情報を示す。「ユーザＩＤ」は、第１コンテンツに入力情報を入力したユーザを識別するための識別情報を示す。「入力情報」は、第１コンテンツに入力された入力情報を示し、例えば、第１コンテンツに含まれる入力項目に対する入力情報が格納される。図７に示す例では、「入力情報」に「入力情報＃１１」や「入力情報＃１２」といった概念的な情報が格納される例を示したが、実際には、入力項目に対して入力された文字情報等が格納される。
【００５４】
（制御部４０）
制御部４０は、コントローラ（controller）であり、例えば、ＣＰＵ（Central  Processing  Unit）やＭＰＵ（Micro  Processing  Unit）等によって、情報処理サーバ１０内部の記憶装置に記憶されている各種プログラムがＲＡＭを作業領域として実行されることにより実現される。また、制御部４０は、コントローラであり、例えば、ＡＳＩＣ（Application  Specific  Integrated  Circuit）やＦＰＧＡ（Field  Programmable  Gate  Array）等の集積回路により実現される。実施形態に係る制御部４０は、図５に示すように、第１配信部４１と、第２配信部４２と、取得部４３と、判定部４４とを有し、以下に説明する情報処理の機能や作用を実現又は実行する。
【００５５】
（第１配信部４１）
第１配信部４１は、認証情報を含み、所定の情報を受け付けるための第１コンテンツを配信する。また、第１配信部４１は、第１コンテンツを第１端末装置１００に配信する。例えば、第１配信部４１は、第１端末装置１００から送信された第１コンテンツの配信要求に基づいて、第１コンテンツを第１端末装置１００に配信する。
【００５６】
第１配信部４１は、第２コンテンツに入力された入力情報を含む第１コンテンツを配信する。例えば、第１配信部４１は、第２コンテンツに入力された入力情報によって更新された第１コンテンツを配信する。
【００５７】
第１配信部４１は、第２コンテンツが配信されると、第１コンテンツを介した情報入力を停止させる制御情報を第１端末装置１００に配信する。
【００５８】
（第２配信部４２）
第２配信部４２は、第１端末装置１００に表示された認証情報を読み込んだ第２端末装置２００に対して、第２端末装置２００から第１コンテンツで受け付けられる所定の情報の入力を受け付ける第２コンテンツを配信する。
【００５９】
第２配信部４２は、所定の入力デバイスを有する第２端末装置２００に対して、所定の入力デバイスを介して入力される、第１コンテンツで受け付けられる所定の情報を受け付ける第２コンテンツを配信する。例えば、第２配信部４２は、撮像装置を有する第２端末装置２００に対して、静止画像又は動画像を受け付ける第２コンテンツを配信する。
【００６０】
第２配信部４２は、第１コンテンツの入力情報の一部又は全部を引き継いで表示する第２コンテンツを配信する。例えば、第２配信部４２は、第１コンテンツに入力された入力情報を引き継いで表示する第２コンテンツを配信する。また、例えば、第２配信部４２は、第１コンテンツに入力された入力情報以外の、ユーザからの入力を要求する入力部分を表示する第２コンテンツを配信する。例えば、第２配信部４２は、ユーザの個人情報の入力を要求する入力部分を表示する第２コンテンツを配信する。
【００６１】
（取得部４３）
取得部４３は、各種情報を取得する。取得部４３は、外部の情報処理装置から各種情報を取得する。取得部４３は、第１端末装置１００等の他の情報処理装置から各種情報を取得する。
【００６２】
取得部４３は、記憶部３０から各種情報を取得する。取得部４３は、コンテンツ情報記憶部３１や入力情報記憶部３２から各種情報を取得する。
【００６３】
取得部４３は、取得した各種情報を記憶部３０に格納する。取得部４３は、コンテンツ情報記憶部３１や入力情報記憶部３２に各種情報を格納する。
【００６４】
取得部４３は、第１コンテンツの配信要求を取得する。また、取得部４３は、第２コンテンツの配信要求を取得する。
【００６５】
取得部４３は、第１コンテンツに入力された入力情報を取得する。また、取得部４３は、第２コンテンツに入力された入力情報を取得する。
【００６６】
（判定部４４）
判定部４４は、各種情報を判定する。判定部４４は、記憶部３０から各種情報を判定する。判定部４４は、コンテンツ情報記憶部３１や入力情報記憶部３２から各種情報を判定する。
【００６７】
判定部４４は、他の機能構成により配信、取得された各種情報を判定する。また、判定部４４は、他の機能構成により配信、取得された各種情報に基づいて、各種情報を判定する。
【００６８】
判定部４４は、第１コンテンツに表示された認証情報が第２端末装置２００によって読み込まれたか否かを判定する。例えば、判定部４４は、第２端末装置２００から送信された第２コンテンツの配信要求に基づいて、第１コンテンツに表示された認証情報が第２端末装置２００によって読み込まれたと判定する。
【００６９】
〔３．第１端末装置の構成〕
次に、図８を用いて、実施形態に係る第１端末装置１００の構成について説明する。図８は、実施形態に係る第１端末装置１００の構成例を示す図である。図８に示すように、第１端末装置１００は、通信部１１０と、入力部１２０と、出力部１３０と、制御部１４０とを有する。
【００７０】
（通信部１１０）
通信部１１０は、例えば、ＮＩＣ等によって実現される。そして、通信部１１０は、所定のネットワークＮと有線又は無線で接続され、所定のネットワークＮを介して、情報処理サーバ１０等との間で情報の送受信を行う。
【００７１】
（入力部１２０）
入力部１２０は、ユーザからの各種操作を受け付ける。図１に示す例では、ユーザＵ１１からの各種操作を受け付ける。例えば、入力部１２０は、タッチパネル機能により表示面を介してユーザからの各種操作を受け付けてもよい。また、入力部１２０は、第１端末装置１００に設けられたボタンや、第１端末装置１００に接続されたキーボードやマウスからの各種操作を受け付けてもよい。
【００７２】
（出力部１３０）
出力部１３０は、例えば液晶ディスプレイや有機ＥＬ（Electro-Luminescence）ディスプレイ等によって実現されるタブレット端末等の表示画面であり、各種情報を表示するための表示装置である。例えば、出力部１３０は、情報処理サーバ１０から取得した第１コンテンツを表示する。
【００７３】
（制御部１４０）
制御部１４０は、例えば、コントローラであり、ＣＰＵやＭＰＵ等によって、第１端末装置１００内部の記憶装置に記憶されている各種プログラムがＲＡＭを作業領域として実行されることにより実現される。例えば、この各種プログラムには、第１端末装置１００にインストールされたアプリケーションのプログラムが含まれる。例えば、この各種プログラムには、情報処理サーバ１０から第１コンテンツを取得して表示するアプリケーションのプログラムが含まれる。また、制御部１４０は、例えば、ＡＳＩＣやＦＰＧＡ等の集積回路により実現される。
【００７４】
図８に示すように、制御部１４０は、受信部１４１と、送信部１４２とを有し、以下に説明する情報処理の作用を実現又は実行する。
【００７５】
（受信部１４１）
受信部１４１は、各種情報を受信する。受信部１４１は、外部の情報処理装置から各種情報を受信する。受信部１４１は、情報処理サーバ１０等の他の情報処理装置から各種情報を受信する。例えば、受信部１４１は、第１コンテンツを受信する。また、例えば、受信部１４１は、第１コンテンツの情報入力に関する制御情報を受信する。
【００７６】
（送信部１４２）
送信部１４２は、外部の情報処理装置へ各種情報を提供する。送信部１４２は、外部の情報処理装置へ各種情報を送信する。送信部１４２は、情報処理サーバ１０等の他の情報処理装置へ各種情報を送信する。例えば、送信部１４２は、第１コンテンツの配信要求を送信する。また、例えば、送信部１４２は、第１コンテンツに入力された入力情報を送信する。
【００７７】
〔４．第２端末装置の構成〕
次に、図９を用いて、実施形態に係る第２端末装置２００の構成について説明する。図９は、実施形態に係る第２端末装置２００の構成例を示す図である。図９に示すように、第２端末装置２００は、通信部２１０と、入力部２２０と、出力部２３０と、制御部２４０とを有する。
【００７８】
（通信部２１０）
通信部２１０は、例えば、ＮＩＣ等によって実現される。そして、通信部２１０は、所定のネットワークＮと有線又は無線で接続され、所定のネットワークＮを介して、情報処理サーバ１０等との間で情報の送受信を行う。
【００７９】
（入力部２２０）
入力部２２０は、ユーザからの各種操作を受け付ける。図１に示す例では、ユーザＵ１１からの各種操作を受け付ける。例えば、入力部２２０は、タッチパネル機能により表示面を介してユーザからの各種操作を受け付けてもよい。また、入力部２２０は、第２端末装置２００に設けられたボタンや、第２端末装置２００に接続されたキーボードやマウスからの各種操作を受け付けてもよい。
【００８０】
（出力部２３０）
出力部２３０は、例えば液晶ディスプレイや有機ＥＬディスプレイ等によって実現されるタブレット端末等の表示画面であり、各種情報を表示するための表示装置である。例えば、出力部２３０は、情報処理サーバ１０から取得した第２コンテンツを表示する。
【００８１】
（制御部２４０）
制御部２４０は、例えば、コントローラであり、ＣＰＵやＭＰＵ等によって、第２端末装置２００内部の記憶装置に記憶されている各種プログラムがＲＡＭを作業領域として実行されることにより実現される。例えば、この各種プログラムには、第２端末装置２００にインストールされたアプリケーションのプログラムが含まれる。例えば、この各種プログラムには、情報処理サーバ１０から第２コンテンツを取得して表示するアプリケーションのプログラムが含まれる。また、制御部２４０は、例えば、ＡＳＩＣやＦＰＧＡ等の集積回路により実現される。
【００８２】
図９に示すように、制御部２４０は、受信部２４１と、送信部２４２とを有し、以下に説明する情報処理の作用を実現又は実行する。
【００８３】
（受信部２４１）
受信部２４１は、各種情報を受信する。受信部２４１は、外部の情報処理装置から各種情報を受信する。受信部２４１は、情報処理サーバ１０等の他の情報処理装置から各種情報を受信する。例えば、受信部２４１は、第２コンテンツを受信する。
【００８４】
（送信部２４２）
送信部２４２は、外部の情報処理装置へ各種情報を提供する。送信部２４２は、外部の情報処理装置へ各種情報を送信する。送信部２４２は、情報処理サーバ１０等の他の情報処理装置へ各種情報を送信する。例えば、送信部２４２は、第２コンテンツの配信要求を送信する。また、例えば、送信部２４２は、第２コンテンツに入力された入力情報を送信する。
【００８５】
〔５．情報処理のフロー〕
図１０を用いて、実施形態に係る情報処理サーバ１０の付与処理の手順について説明する。図１０は、実施形態に係る情報処理の手順の一例を示すフローチャートである。
【００８６】
図１０に示すように、情報処理サーバ１０は、第１コンテンツを配信する（ステップＳ２０１）。続いて、情報処理サーバ１０は、第１コンテンツに表示された認証情報が読み込まれたか否かを判定する（ステップＳ２０２）。情報処理サーバ１０は、第１コンテンツに表示された認証情報が読み込まれていないと判定した場合（ステップＳ２０２；ＮＯ）、第１コンテンツに表示された認証情報が読み込まれるまで待機する。また、情報処理サーバ１０は、第１コンテンツに表示された認証情報が読み込まれたと判定した場合（ステップＳ２０２；ＹＥＳ）、第２コンテンツを配信し（ステップＳ２０３）、処理を終了する。
【００８７】
〔６．変形例〕
上述の実施形態は一例を示したものであり、種々の変更及び応用が可能である。
【００８８】
（認証判定）
上述の実施形態において、情報処理サーバ１０が、第２端末装置２００によって情報コードＱＲ１１が読み込まれると、第２コンテンツを即座に第２端末装置２００に配信する場合を示したが、情報処理サーバ１０は、認証を挟んでから第２コンテンツを配信してもよい。以下、情報処理サーバ１０が認証を挟んでから第２コンテンツを配信する処理について説明する。
【００８９】
判定部４４は、認証情報の認証に係る所定の条件を満たすか否かを判定してもよい。そして、第２配信部４２は、判定部４４によって、第２端末装置２００が所定の条件を満たすと判定された場合、第２コンテンツを配信してもよい。ここで、認証を挟むケースについて、ユーザに対して認証を明示的に求めるケースと、ユーザに対して明示的な認証を求めないケースとが考えられる。前者は、例えば、アカウント認証やワンタイムパスワード認証を用いたケースであり、ユーザに対して認証を明示的に求める認証コンテンツを表示する。後者は、例えば、時間情報や位置情報に基づく認証を用いたケースであり、認証情報に埋め込まれた情報から簡易的な認証を行う。以下、この２つのケースを用いた処理について説明する。
【００９０】
（認証コンテンツ：ログイン画面）
図１１は、実施形態に係る認証コンテンツＮＣ１１の一例を示す図である。図１１では、認証コンテンツＮＣ１１の一例として、ログイン画面が表示される場合を示す。第２配信部４２は、第１コンテンツに表示された認証情報が読み込まれると、認証情報を読み込んだ第２端末装置２００に認証コンテンツＮＣ１１を配信する。判定部４４は、認証コンテンツＮＣ１１におけるユーザの入力情報に基づいて、表示された認証情報の認証に係る所定の条件を満たすか否かを判定する。図１１では、判定部４４は、入力されるメールアドレスとパスワードとでログインできるか否かに基づいて、所定の条件を満たすか否かを判定する。そして、第２配信部４２は、ログインできた場合にのみ、第２コンテンツを配信する。
【００９１】
（認証コンテンツ：数字入力）
図１２は、実施形態に係る認証コンテンツＮＣ２１の一例を示す図である。図１２では、ワンタイムパスワード認証の一例として、数字入力による認証が行われる場合を示す。図１２左側は、情報コードＱＲ１２を含む申込フォームＰＵ１２を示す。なお、図１２では、申込フォームＰＵ１２を表示する第１端末装置１００がＰＣである場合を示す。申込フォームＰＵ１２は、情報コードＱＲ１２の認証に係る鍵となるキー情報を表示した所定の領域ＫＫ１１を含む。所定の領域ＫＫ１１には、キー情報の一例として、「１２３４５６」の６桁の数字情報が表示されている。
【００９２】
図１２右側は、認証画面である認証コンテンツＮＣ２１を示す。なお、図１２では、認証コンテンツＮＣ２１を表示する第２端末装置２００がスマートフォンである場合を示す。認証コンテンツＮＣ２１は、所定の領域ＫＫ１１に表示されたキー情報を入力するための所定の領域ＫＫ２１を含む。所定の領域ＫＫ２１にはどのような情報が入力されてもよい。また、認証コンテンツＮＣ２１は、所定の領域ＫＫ１１に表示されたキー情報の入力を促すためのテキストＴＸ３１を含んでもよい。テキストＴＸ３１は、例えば、「ＰＣの画面に出ている数字を入力。」である。
【００９３】
第１配信部４１は、所定の領域ＫＫ１１を含む申込フォームＰＵ１２を配信する。第１端末装置１００は、申込フォームＰＵ１２を受信すると、所定の領域ＫＫ１１に含まれるキー情報を表示する。第２配信部４２は、申込フォームＰＵ１２に表示された情報コードＱＲ１２が読み込まれると、情報コードＱＲ１２を読み込んだ第２端末装置２００に認証コンテンツＮＣ２１を配信する。
【００９４】
判定部４４は、所定の領域ＫＫ２１におけるユーザの入力情報に基づいて、表示された情報コードＱＲ１２の認証に係る所定の条件を満たすか否かを判定する。図１２では、判定部４４は、入力される所定の領域ＫＫ２１への入力情報に基づいて、所定の条件を満たすか否かを判定する。具体的には、判定部４４は、所定の領域ＫＫ２１への入力情報が、所定の領域ＫＫ１１に表示されているキー情報と一致するか否かに基づいて、一致する場合には、所定の条件を満たすと判定する。より具体的には、判定部４４は、所定の領域ＫＫ１１に表示されている「１２３４５６」の数字情報が、所定の領域ＫＫ２１に入力された場合には、所定の条件を満たすと判定する。そして、第２配信部４２は、所定の領域ＫＫ１１に表示されている数字情報が入力された場合にのみ、第２コンテンツを配信する。
【００９５】
（時間情報を用いた認証）
上述の実施形態において、情報コードＱＲ１１等の認証情報は、時間情報に対して復号可能な暗号化処理が施された情報を含んでもよい。なお、時間情報そのままではなく、暗号化処理が施された情報を用いることで後述する処理を適切に行うことができる。例えば、情報コードＱＲ１１等の認証情報には、申込フォームＰＵ１１等の第１コンテンツを開いた時間情報（以下、適宜、「第１時間情報」とする。）が埋め込まれてもよい。なお、第１時間情報は、第１コンテンツが配信された時間情報や、情報コードＱＲ１１等の認証情報が表示された時間情報であってもよい。
【００９６】
第１配信部４１は、第１時間情報を含む認証情報を含む第１コンテンツを配信する。判定部４４は、第２端末装置２００によって認証情報が読み込まれた際の時間情報（以下、適宜、「第２時間情報」とする。）と、第１時間情報との比較に基づいて、所定の条件を満たすか否かを判定する。例えば、判定部４４は、第１時間情報と第２時間情報との差分が所定の閾値以下である場合には、所定の条件を満たすと判定する。なお、判定部４４が、どこまでの範囲を所定の条件を満たすものとして許容するか、範囲外であった等の各種エラーが生じた際に他の認証を挟むか等は特に限定されない。そして、第２配信部４２は、第１時間情報と第２時間情報との差分が所定の閾値以下である場合にのみ、第２コンテンツを配信する。
【００９７】
図１の例を用いると、判定部４４は、情報コードＱＲ１１に申込フォームＰＵ１１の情報だけでなく申込フォームＰＵ１１を開いた時間を情報として情報コードＱＲ１１に埋め込むことで、第２端末装置２００で読み取って申込フォームＰＵ２１を開いたときのその情報を用いて、申込フォームＰＵ１１が直近の所定の時間以内に開かれたコンテンツであるか否かを判定する。
【００９８】
（位置情報を用いた認証）
上述の実施形態において、情報コードＱＲ１１等の認証情報は、位置情報（例えば、ＧＰＳ座標）に対して復号可能な暗号化処理が施された情報を含んでもよい。なお、位置情報そのままではなく、暗号化処理が施された情報を用いることで後述する処理を適切に行うことができる。例えば、情報コードＱＲ１１等の認証情報には、申込フォームＰＵ１１等の第１コンテンツを開いた際の第１端末装置１００の位置情報（以下、適宜、「第１位置情報」とする。）が埋め込まれてもよい。なお、第１位置情報は、第１コンテンツが配信された際の第１端末装置１００の位置情報や、情報コードＱＲ１１等の認証情報が表示された際の第１端末装置１００の位置情報であってもよい。
【００９９】
第１配信部４１は、第１位置情報を含む認証情報を含む第１コンテンツを配信する。判定部４４は、第２端末装置２００によって認証情報が読み込まれた際の第２端末装置２００の位置情報（以下、適宜、「第２位置情報」とする。）と、第１位置情報との比較に基づいて、所定の条件を満たすか否かを判定する。例えば、判定部４４は、第１位置情報と第２位置情報との差分が所定の閾値以下である場合には、所定の条件を満たすと判定する。なお、判定部４４が、どこまでの範囲を所定の条件を満たすものとして許容するか、範囲外であった、ＧＰＳ座標が取得できなかった等の各種エラーが生じた際に他の認証を挟むか等は特に限定されない。そして、第２配信部４２は、第１位置情報と第２位置情報との差分が所定の閾値以下である場合にのみ、第２コンテンツを配信する。
【０１００】
図１の例を用いると、判定部４４は、第１端末装置１００で申込フォームＰＵ１１を開いたときの第１端末装置１００のＧＰＳの座標情報を情報コードＱＲ１１に埋め込むことで、第２端末装置２００で読み取ったときの第２端末装置２００のＧＰＳの座標情報との比較に基づいて、ユーザＵ１１が第１端末装置１００から所定の範囲内の距離にいるか否かを判定する。また、判定部４４は、第２端末装置２００で読み取ったときに読み取った情報コードＱＲ１１のＧＰＳの座標情報と第２端末装置２００の位置情報とを比較して、ユーザＵ１１が第１端末装置１００から所定の範囲内の距離にいるか否かを判定してもよい。
【０１０１】
〔７．効果〕
上述してきたように、実施形態に係る情報処理サーバ１０は、第１配信部４１と、第２配信部４２とを有する。第１配信部４１は、認証情報を含み、所定の情報を受け付けるための第１コンテンツを第１端末装置１００に配信する。第２配信部４２は、第１端末装置１００に表示された認証情報を読み込んだ第２端末装置２００に対して、第２端末装置２００から所定の情報の入力を受け付ける第２コンテンツを配信する。
【０１０２】
これにより、実施形態に係る情報処理サーバ１０は、ＰＣやスマートフォン等で情報の入力やファイルを添付する第１コンテンツにおいて、認証情報を用いて利便性の向上を促進することができる。これにより、実施形態に係る情報処理サーバ１０は、更なるユーザビリティの向上を促進することができる。
【０１０３】
また、実施形態に係る情報処理サーバ１０において、例えば、第１配信部４１は、第２コンテンツに入力された入力情報を含む第１コンテンツを配信する。
【０１０４】
これにより、実施形態に係る情報処理サーバ１０は、ＰＣやスマートフォン等の端末装置間の操作の切り替えを容易に行えるようにすることができる。
【０１０５】
また、実施形態に係る情報処理サーバ１０において、例えば、第１配信部４１は、第２コンテンツが配信されると、第１コンテンツを介した情報入力を停止させる制御情報を配信する。
【０１０６】
これにより、実施形態に係る情報処理サーバ１０は、端末装置間の操作の切り替えの際に入力するコンテンツを明確にすることができる。
【０１０７】
また、実施形態に係る情報処理サーバ１０において、例えば、第２配信部４２は、所定の入力デバイスを有する第２端末装置２００に対して、所定の入力デバイスを介して入力される所定の情報を受け付ける第２コンテンツを配信する。
【０１０８】
これにより、実施形態に係る情報処理サーバ１０は、情報の入力やファイルを添付する第１コンテンツにおいて、第１端末装置１００に所望するデータがない場合でも、第２端末装置２００を用いて第１コンテンツの入力を適切に行えるようにすることができる。
【０１０９】
また、実施形態に係る情報処理サーバ１０において、例えば、第２配信部４２は、撮像装置を有する第２端末装置２００に対して、静止画像又は動画像を受け付ける第２コンテンツを配信する。
【０１１０】
これにより、実施形態に係る情報処理サーバ１０は、第２端末装置２００に備えられたカメラ等の撮像装置を用いて第１コンテンツの入力を適切に行えるようにすることができる。
【０１１１】
また、実施形態に係る情報処理サーバ１０において、例えば、第２配信部４２は、第１コンテンツに入力された入力情報を引き継いで表示する第２コンテンツを配信する。
【０１１２】
これにより、実施形態に係る情報処理サーバ１０は、端末装置間の操作の切り替えにおいて、以降の入力を第２端末装置２００で行うことができるため、利便性の向上を促進することができる。
【０１１３】
また、実施形態に係る情報処理サーバ１０において、例えば、第２配信部４２は、第１コンテンツに入力された入力情報以外の、ユーザからの入力を要求する入力部分を表示する第２コンテンツを配信する。
【０１１４】
これにより、実施形態に係る情報処理サーバ１０は、端末装置間の操作の切り替えにおいて、入力が未入力である入力部分を明確にすることができるため、ユーザビリティの向上を促進することができる。
【０１１５】
また、実施形態に係る情報処理サーバ１０において、例えば、第２配信部４２は、ユーザの個人情報の入力を要求する入力部分を表示する第２コンテンツを配信する。
【０１１６】
これにより、実施形態に係る情報処理サーバ１０は、端末装置間の操作の切り替えにおいて、個人情報の入力を私用スマートフォン等の第２端末装置２００で行うことができるため、個人情報の保護に繋がるＵＩを提供することができる。
【０１１７】
また、実施形態に係る情報処理サーバ１０は、第２端末装置２００が認証情報を読み込んだ際に、認証情報の認証に係る所定の条件を満たすか否かを判定する判定部４４を更に有する。また、第２配信部４２は、判定部４４によって、第２端末装置２００が所定の条件を満たすと判定された場合、第２コンテンツを配信する。
【０１１８】
これにより、実施形態に係る情報処理サーバ１０は、認証を挟んでから第２コンテンツを適切に配信することができるため、個人情報の保護に繋がるＵＩを提供することができる。
【０１１９】
また、実施形態に係る情報処理サーバ１０において、例えば、判定部４４は、第２端末装置２００が認証情報を読み込んだ際に第２端末装置２００に配信された認証コンテンツへの入力に基づいて、所定の条件を満たすか否かを判定する。
【０１２０】
これにより、実施形態に係る情報処理サーバ１０は、例えばログイン画面等で認証を行う認証コンテンツを挟んでから第２コンテンツを適切に配信することができるため、個人情報の保護に繋がるＵＩを提供することができる。
【０１２１】
また、実施形態に係る情報処理サーバ１０において、例えば、判定部４４は、認証コンテンツに入力された入力情報と、第１コンテンツの所定の領域に表示された表示情報との比較に基づいて、所定の条件を満たすか否かを判定する。
【０１２２】
これにより、実施形態に係る情報処理サーバ１０は、例えば数字入力等の照合に基づいて認証を行う認証コンテンツを挟んでから第２コンテンツを適切に配信することができるため、個人情報の保護に繋がるＵＩを提供することができる。
【０１２３】
また、実施形態に係る情報処理サーバ１０において、例えば、第１配信部４１は、第１コンテンツが配信された第１時間情報を含む認証情報を含む第１コンテンツを配信する。また、判定部４４は、第２端末装置２００が認証情報を読み込んだ際の第２時間情報と、第１時間情報とに基づいて、所定の条件を満たすか否かを判定する。
【０１２４】
これにより、実施形態に係る情報処理サーバ１０は、通常認証の他に、時間情報に基づく認証を挟んでから第２コンテンツを適切に配信することができるため、個人情報の保護に繋がるＵＩを提供することができる。
【０１２５】
また、実施形態に係る情報処理サーバ１０において、例えば、第１配信部４１は、第１コンテンツが配信された際の第１端末装置１００の第１位置情報を含む認証情報を含む第１コンテンツを配信する。また、判定部４４は、第２端末装置２００が認証情報を読み込んだ際の第２端末装置２００の第２位置情報と、第１位置情報とに基づいて、所定の条件を満たすか否かを判定する。
【０１２６】
これにより、実施形態に係る情報処理サーバ１０は、通常認証の他に、位置情報に基づく認証を挟んでから第２コンテンツを適切に配信することができるため、個人情報の保護に繋がるＵＩを提供することができる。
【０１２７】
〔８．ハードウェア構成〕
また、上述してきた各実施形態に係る情報処理サーバ１０は、例えば、図１３に示すような構成のコンピュータ１０００によって実現される。以下、情報処理サーバ１０を例に挙げて説明する。図１３は、情報処理サーバ１０の機能を実現するコンピュータの一例を示すハードウェア構成図である。コンピュータ１０００は、ＣＰＵ１１００、ＲＯＭ１２００、ＲＡＭ１３００、ＨＤＤ１４００、通信インターフェイス（Ｉ／Ｆ）１５００、入出力インターフェイス（Ｉ／Ｆ）１６００、及びメディアインターフェイス（Ｉ／Ｆ）１７００を有する。
【０１２８】
ＣＰＵ１１００は、ＲＯＭ１２００又はＨＤＤ１４００に格納されたプログラムに基づいて動作し、各部の制御を行う。ＲＯＭ１２００は、コンピュータ１０００の起動時にＣＰＵ１１００によって実行されるブートプログラムや、コンピュータ１０００のハードウェアに依存するプログラム等を格納する。
【０１２９】
ＨＤＤ１４００は、ＣＰＵ１１００によって実行されるプログラム、及び、かかるプログラムによって使用されるデータ等を記憶する。通信インターフェイス１５００は、通信網５００（実施形態のネットワークＮに対応する）を介して他の機器からデータを受信してＣＰＵ１１００へ送り、また、通信網５００を介してＣＰＵ１１００が生成したデータを他の機器へ送信する。
【０１３０】
ＣＰＵ１１００は、入出力インターフェイス１６００を介して、ディスプレイやプリンタ等の出力装置、及び、キーボードやマウス等の入力装置を制御する。ＣＰＵ１１００は、入出力インターフェイス１６００を介して、入力装置からデータを取得する。また、ＣＰＵ１１００は、入出力インターフェイス１６００を介して生成したデータを出力装置へ出力する。
【０１３１】
メディアインターフェイス１７００は、記録媒体１８００に格納されたプログラム又はデータを読み取り、ＲＡＭ１３００を介してＣＰＵ１１００に提供する。ＣＰＵ１１００は、かかるプログラムを、メディアインターフェイス１７００を介して記録媒体１８００からＲＡＭ１３００上にロードし、ロードしたプログラムを実行する。記録媒体１８００は、例えばＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、又は半導体メモリ等である。
【０１３２】
例えば、コンピュータ１０００が情報処理サーバ１０として機能する場合、コンピュータ１０００のＣＰＵ１１００は、ＲＡＭ１３００上にロードされたプログラムを実行することにより、制御部４０の機能を実現する。また、ＨＤＤ１４００には、情報処理サーバ１０の記憶装置内の各データが格納される。コンピュータ１０００のＣＰＵ１１００は、これらのプログラムを記録媒体１８００から読み取って実行するが、他の例として、他の装置から所定の通信網を介してこれらのプログラムを取得してもよい。
【０１３３】
〔９．その他〕
以上、本願の実施形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【０１３４】
また、上述した情報処理サーバ１０は、機能によっては外部のプラットフォーム等をＡＰＩ（Application  Programming  Interface）やネットワークコンピューティングなどで呼び出して実現するなど、構成は柔軟に変更できる。
【０１３５】
また、特許請求の範囲に記載した「部」は、「手段」や「回路」などに読み替えることができる。例えば、受付部は、受付手段や受付回路に読み替えることができる。
【符号の説明】
【０１３６】
１０      情報処理サーバ
２０      通信部
３０      記憶部
３１      コンテンツ情報記憶部
３２      入力情報記憶部
４０      制御部
４１      第１配信部
４２      第２配信部
４３      取得部
４４      判定部
１００    第１端末装置
１１０    通信部
１２０    入力部
１３０    出力部
１４０    制御部
１４１    受信部
１４２    送信部
２００    第２端末装置
２１０    通信部
２２０    入力部
２３０    出力部
２４０    制御部
２４１    受信部
２４２    送信部
【要約】
【課題】更なるユーザビリティの向上を促進する。
【解決手段】本願に係る情報処理装置は、認証情報を含み、所定の情報を受け付けるための第１コンテンツを第１端末装置に配信する第１配信部と、第１端末装置に表示された認証情報を読み込んだ第２端末装置に対して、第２端末装置から所定の情報の入力を受け付ける第２コンテンツを配信する第２配信部とを有することを特徴とする。
【選択図】図５【図１】
0006890202.tif 000002
【図２】
0006890202.tif 000003
【図３】
0006890202.tif 000004
【図４】
0006890202.tif 000005
【図５】
0006890202.tif 000006
【図６】
0006890202.tif 000007
【図７】
0006890202.tif 000008
【図８】
0006890202.tif 000009
【図９】
0006890202.tif 000010
【図１０】
0006890202.tif 000011
【図１１】
0006890202.tif 000012
【図１２】
0006890202.tif 000013
【図１３】
0006890202.tif 000014